(57)【要約】【課題】  調心動作時に、シール体の接触圧の増加を防止することができる。【課題を解決するための手段】  二列組み合わせ軸受２の軸方向端部の内輪４と外輪５との間に、当該内輪４と外輪５との間の開口部を覆う環状の接触形ゴムシール体８を配した。そのため、ハウジング３の軸方向両端部とねじ軸１０との間に接触形シール体を配する方法に比べ、アンギュラ玉軸受２ａの転動体６と接触形ゴムシール体８が配されている場所との間の距離を短くすることができる。それゆえ、調心動作時に、接触形ゴムシール体８が配されている空間が狭くなることを抑制することができ、接触形ゴムシール体８の接触圧の増加を防止することができ、その結果、軸受トルクの上昇やシール性の低下を防止することができ、二列組み合わせ軸受２の寿命を長くすることができる。【選択図】  図１
2007010034.tif 000002
【特許請求の範囲】
【請求項１】
２つのアンギュラ玉軸受が正面組み合わせされてなる二列組み合わせ軸受であって、
当該二列組み合わせ軸受の軸方向端部における前記アンギュラ玉軸受の内輪と外輪との間に、当該内輪と外輪との間の開口部を覆う環状の接触シール体を配したことを特徴とする二列組み合わせ軸受。
【請求項２】
前記アンギュラ玉軸受の内輪幅を外輪幅より狭くし、前記アンギュラ玉軸受の内輪間に隙間を設けたことを特徴とする請求項１に記載の二列組み合わせ軸受。
【請求項３】
前記接触シール体は、前記アンギュラ玉軸受の外輪の内周の端部に外周縁部を固定し、前記アンギュラ玉軸受の内輪の外周の端部に設けられた摺接部に内周縁部を摺接し、
前記摺接部は、前記二列組み合わせ軸受の軸受中心を中心とする円弧面であることを特徴とする請求項１又は２に記載の二列組み合わせ軸受。
【請求項４】
前記請求項１から３のいずれか１項に記載の二列組み合わせ軸受を備えたことを特徴とするサポートユニット。
【発明の詳細な説明】
【技術分野】
【０００１】
本発明は、電子部品実装装置や工作機械等で使用される精密位置決め用ボールねじの支持に好適な二列組み合わせ軸受、及びサポートユニットに関する。
【背景技術】
【０００２】
従来、この種の二列組み合わせ軸受としては、例えば、二列組み合わせ軸受の周囲を密封するハウジングと、そのハウジングの軸方向両端部と回転軸との間に設けられた接触形のオイルシールとを含んで構成されるものがある（例えば、特許文献１参照）。
また、このような二列組み合わせ軸受を、精密位置決め用ボールネジを支持するサポートユニットに用いる場合には、通常、正面組み合わせされたアンギュラ玉軸受を用いることで、ボールねじの振れに対して調心性をもたせるようになっている。
【特許文献１】特開平１５―１７２３４３号公報の図２０
【発明の開示】
【発明が解決しようとする課題】
【０００３】
しかしながら、上記従来の二列組み合わせ軸受にあっては、ボールねじがベルト駆動されて軸端にラジアル荷重が作用、またはサポートユニットとＢＳ（ボールスクリュー）ナットの取り付け誤差によりねじ軸にラジアル荷重が作用する等によりねじ軸が傾くと、ハウジングとねじ軸との間に間隔が狭いところが現れ、オイルシールの接触圧が増加する恐れがあった。そのため、摩擦トルクの増大によって軸受トルクの上昇を招き、摩耗量の増大によってシール性が低下し、その結果、寿命が短くなってしまう恐れがあった。
本発明は、上記従来の技術の未解決の問題点を解決することを目的とするものであって、調心動作時に、シール体の接触圧の増加を防止することができる二列組み合わせ軸受、及びサポートユニットを提供することを課題とする。
【課題を解決するための手段】
【０００４】
上記課題を解決するために、本発明の二列組み合わせ軸受は、２つのアンギュラ玉軸受が正面組み合わせされてなる二列組み合わせ軸受であって、当該二列組み合わせ軸受の軸方向端部における前記アンギュラ玉軸受の内輪と外輪との間に、当該内輪と外輪との間の開口部を覆う環状の接触シール体を配したことを特徴とする。
また、前記アンギュラ玉軸受の内輪幅を外輪幅より狭くし、前記アンギュラ玉軸受の内輪間に隙間を設けるようにしてもよい。
【０００５】
さらに、前記接触シール体は、前記アンギュラ玉軸受の内輪の外周の端部又は外輪の内周の端部に一端を固定し、当該一端が固定された端部と対向する当該外輪の内周の端部又は内輪の外周の端部に設けられた摺接部に他端を摺接し、前記摺接部は、前記二列組み合わせ軸受の軸受中心を中心とする円弧面であってもよい。
一方、本発明のサポートユニットは、請求項１から３のいずれか１項に記載の二列組み合わせ軸受を備えたことを特徴とする。
【０００６】
このような構成によれば、ハウジングの軸方向両端部と回転軸との間に接触シール体を配する方法に比べ、アンギュラ玉軸受の転動体とシール体が配されている場所との間の距離が短いため、調心動作時に、接触シール体が配されている空間が狭くなることを抑制することができ、シール体の接触圧の増加を防止することができる。
【発明を実施するための最良の形態】
【０００７】
以下、本発明の二列組み合わせ軸受を、精密位置決め用ボールねじを支持するサポートユニットに適用した実施形態を図面に基づいて説明する。
図１は、本実施形態のサポートユニットの概略構成を示す構成図である。この図１に示すように、サポートユニット１は、二列組み合わせ軸受２、及びその二列組み合わせ軸受２の周囲を密封する軸受ハウジング３を含んで構成される。
【０００８】
二列組み合わせ軸受２は、２つのアンギュラ玉軸受２ａから構成される。アンギュラ玉軸受２ａは、内輪４、内輪４より幅広の外輪５、内輪４と外輪５との間に転動自在に配された複数の転動体６、内輪４と外輪５との間に複数の転動体６を保持する保持器７、及び環状の板状部材の接触形ゴムシール８を含んで構成される。
【０００９】
そして、二列組み合わせ軸受２は、軸受ハウジング３に組み込まれ、一端側の外輪５の軸方向位置が固定された後、他端側の外輪５の端部が押え蓋９で軸方向に押圧されることで、アンギュラ玉軸受２ａの各外輪５の軸方向端部が互いに当接する。また、二列組み合わせ軸受２は、ボールねじのねじ軸１０に嵌合され、一端側の内輪４の軸方向位置が固定された後、他端側の外輪５の端部がカラー１１を介してＢＳナット１２で軸方向に押圧され、二列組み合わせ軸受２の軸方向の位置が調節されることで、各内輪４間に適切な隙間が形成されて正面組み合わせとなる。そのため、二列組み合わせ軸受２は、二列組み合わせ軸受２の軸受中心を中心として外輪５に対して内輪４が傾動可能となり、ボールねじのねじ軸１０の振れに対して調心性をもつようになる。
【００１０】
また、接触形ゴムシール８は、図２に示すように、外輪５の内周面の一端部（二列組み合わせ軸受２の軸方向端部を形成する端部）に外輪５の全周にわたって設けられているシール溝１３に外周縁部を嵌入し、内輪４の外周面の前記一端部に内輪４の全集にわたって設けられている摺接部１４に内周縁部を摺接することにより、接触形ゴムシール８が外輪５の内周面と内輪４の外周面との間の開口部分を覆っている。
【００１１】
このように、本実施形態のサポートユニット１にあっては、二列組み合わせ軸受２の軸方向端部の内輪４と外輪５との間に、当該内輪４と外輪５との間の開口部を覆う環状の接触形ゴムシール体８を配した。そのため、ハウジング３の軸方向両端部とねじ軸１０との間に接触形シール体を配する方法に比べ、アンギュラ玉軸受２ａの転動体６と接触形ゴムシール体８が配されている場所との間の距離を短くすることができる。それゆえ、調心動作時に、接触形ゴムシール体８が配されている空間が狭くなることを抑制することができ、接触形ゴムシール体８の接触圧の増加を防止することができ、その結果、軸受トルクの上昇やシール性の低下を防止することができ、寿命を長くすることができる。
【００１２】
また、接触形ゴムシール８を摺接する摺接部１４を二列組み合わせ軸受２の軸受中心を中心とする円弧面とした。そのため、調心動作が行われ、二列組み合わせ軸受２の軸受中心を中心として外輪５に対して内輪４が傾動しても、接触形ゴムシール体８の外周縁部と摺接部１４の外面との位置関係を一定に保持することができ、接触形ゴムシール体８の外周縁部分と摺接部１４との接触圧の増加をより適切に防止することができる。
【００１３】
さらに、アンギュラ玉軸受２の内輪４幅を外輪５幅より狭く形成した。そのため、ＢＳナット１２で二列組み合わせ軸受２の軸方向の位置が調節することで、アンギュラ玉軸受２ａの各外輪５の軸方向端部が互いに当接し、各内輪４間に適切な隙間を形成でき、その結果、間座による隙間調整が不要となり、製造コストを低減することができる。
なお、本発明の二列組み合わせ軸受及びサポートユニットは、上記実施の形態の内容に限定されるものではなく、本発明の趣旨を逸脱しない範囲で適宜変更可能である。
【図面の簡単な説明】
【００１４】
【図１】本発明の軸受及びサポートユニットの一構成例を示す構成図である。
【図２】図１のアンギュラ玉軸受を拡大して示す要部拡大図である。
【符号の説明】
【００１５】
１はサポートユニット、２は二列組み合わせ軸受、２ａはアンギュラ玉軸受、３は軸受ハウジング、４は内輪、５は外輪、６は転動体、７は保持器、８は接触形ゴムシール、９は押え蓋、１０はねじ軸、１１はカラー、１２はＢＳナット、１３はシール溝、１４は摺接部
【図１】
2007010034.tif 000003
【図２】
2007010034.tif 000004